(57)【要約】【課題】使用者が移動式家具の移動可能状態及び移動不能状態を視覚的に容易に判断できるようにして利便性を向上する。【解決手段】移動式家具１００は、下部に設けたキャスタ８Ｆ，８Ｒの転動による移動可能状態と、キャスタ８Ｆ，８Ｒの転動による移動を不能にする移動不能状態とに切り替える移動切替機構１０を備えている。移動切替機構１０は移動切替操作具９と移動切替状態表示部５０とを備える。移動切替操作具９は、操作力が加えられていない操作前姿勢と、操作力が加えられて変位した操作後姿勢とに姿勢変更可能であるとともに、操作後姿勢にあるときに操作力が解除されることで操作前姿勢に自動的に復帰する。移動切替状態表示部５０は、移動切替操作具９の姿勢変更に連動して、移動可能状態と移動不能状態とで異なる表示をする。移動切替機構１０は移動切替操作具９が操作前姿勢のときに移動不能状態にできる一方、操作後姿勢のときに移動可能状態にできるように構成されている。【選択図】図４
2020174975.tif 000002
【特許請求の範囲】
【請求項１】
下部に設けたキャスタの転動による移動可能状態と、前記キャスタの転動による移動を不能にする移動不能状態とに切り替える移動切替機構を備えた移動式家具であって、
前記移動切替機構は、
操作力が加えられていない操作前姿勢と、操作力が加えられて変位した操作後姿勢とに姿勢変更可能であるとともに、前記操作後姿勢にあるときに操作力が解除されることで前記操作前姿勢に自動的に復帰する移動切替操作具と、
前記移動切替操作具の姿勢変更に連動して、前記移動可能状態と前記移動不能状態とで異なる表示をする移動切替状態表示部と、を備え、
前記移動切替操作具が前記操作前姿勢のときに前記移動不能状態にできる一方、前記操作後姿勢のときに前記移動可能状態にできるように構成されている、移動式家具。
【請求項２】
前記移動切替操作具は、該移動式家具の上半部に設けられている、請求項１に記載の移動式家具。
【請求項３】
前記移動切替機構は、前記移動切替操作具とは別部材の移動切替操作部材の姿勢変更で、前記移動可能状態と前記移動不能状態とを切替え可能に構成されており、
前記移動切替操作部材が前記移動不能状態にしているときに、前記移動切替操作具を前記操作後姿勢にすることで前記移動可能状態に切替え可能に構成されている、請求項１又は２に記載の移動式家具。
【請求項４】
前記移動切替状態表示部は、前記移動切替操作部材の姿勢変更にも連動して、前記移動可能状態と前記移動不能状態とで異なる表示をする、請求項３に記載の移動式家具。
【請求項５】
該移動式家具は、天板を支持する脚体の下部に前記キャスタを取り付け、前記天板を、左右水平に延びる回動軸を介して前記脚体に支持させ、略水平な使用姿勢と起立した収納姿勢との間で回動可能なテーブルを構成しており、
前記移動切替操作部材は前記天板で構成されており、
前記天板が前記収納姿勢のときに、前記移動切替機構は前記移動可能状態とするとともに、前記移動切替状態表示部が前記移動不能状態での表示とは異なる表示をするように構成されている、請求項４に記載の移動式家具。
【請求項６】
前記移動切替操作具は、前記天板に設けられている、又は、使用者が前記天板を把持しながら操作可能な位置であって前記天板とは異なる部材に設けられている、請求項５に記載の移動式家具。
【請求項７】
該移動式家具は、天板を支持する脚体の下部に前記キャスタを取り付けたテーブルを構成しており、
前記移動切替操作具は、前記天板に設けられている、又は、使用者が前記天板を把持しながら操作可能な位置であって前記天板とは異なる部材に設けられている、請求項１から４のいずれか一項に記載の移動式家具。
【請求項８】
前記脚体は、前記キャスタが取り付けられる脚ベースと、前記脚ベースから上向きに延びる脚支柱とを備え、
前記移動切替状態表示部は、前記脚ベースの上面に設けられ、
前記脚支柱に沿って設けられた連動部材を介して、前記移動切替操作具と前記移動切替状態表示部を連動させている、請求項５から７のいずれか一項に記載の移動式家具。
【請求項９】
キャスタの転動による移動可能状態と、前記キャスタの転動による移動を不能にする移動不能状態とに切り替える移動切替機構を備えた移動式家具であって、
前記移動切替機構は、移動切替操作具と、前記移動切替操作具に連動部材を介して連結されて前記移動切替操作具の作動に連動する移動切替状態表示部を備え、
前記移動切替状態表示部は、前記移動切替操作具と離間した位置に設けられているとともに、前記移動切替操作具の作動に連動して前記移動可能状態と前記移動不能状態とで異なる表示をする、移動式家具。
【発明の詳細な説明】
【技術分野】
【０００１】
本発明は、キャスタを備えた移動式家具に関する。
【背景技術】
【０００２】
オフィス用や会議室用等のテーブルは、一般に天板を左右の脚体で支持した構造になっている。そして、例えば会議室用のテーブルは移動させることが多く、そこで脚体の下端部にキャスタを設けていることが多い。また、キャスタ付きテーブルの他に、キャスタの転動による移動可能な移動式家具として、キャスタ付きキャビネットなどがある。
【０００３】
テーブルには使用中に様々の理由でこれを水平方向に動かそうとする外力がかかるので、使用中にテーブルが動かないようにキャスタの転動による移動が不能な移動不能状態と、キャスタの転動による移動が可能な移動可能状態とに切り替える移動切替機構を設けることが行われている（特許文献１〜３参照）。
【０００４】
特許文献１〜３に開示された各テーブルは、天板を略水平な使用姿勢と起立した収納姿勢との間で回動可能に設けるとともに、天板が収納姿勢のときには、移動切替機構がテーブルを移動可能状態にするように構成されている。また、テーブルを移動可能状態と移動不能状態とに切替え操作するための移動切替操作レバーを天板下面に設け、移動切替操作レバーを操作することで、天板が使用姿勢にあるときでも、キャスタの転動によるテーブルの移動が可能に構成されている。
【先行技術文献】
【特許文献】
【０００５】
【特許文献１】特開２０１７−８６３５５号公報
【特許文献２】特許第５７８５１４５号公報
【特許文献３】特許第５３５６６７８号公報
【発明の概要】
【発明が解決しようとする課題】
【０００６】
しかし、特許文献１〜３に開示された各テーブルでは、天板が使用姿勢にあるときに、使用者が移動切替操作レバーを操作しても、テーブルが移動可能状態なのか移動不能状態なのかを判断しづらく、利便性が悪いという問題があった。このような不具合は、テーブルに限らず、キャスタ付きキャビネットなど、キャスタの転動による移動可能な移動式家具で生じていた。
【０００７】
本発明は、このような現状を改善すべく成されたものである。
【課題を解決するための手段】
【０００８】
本発明は、下部に設けたキャスタの転動による移動可能状態と、前記キャスタの転動による移動を不能にする移動不能状態とに切り替える移動切替機構を備えた移動式家具であって、前記移動切替機構は、操作力が加えられていない操作前姿勢と、操作力が加えられて変位した操作後姿勢とに姿勢変更可能であるとともに、前記操作後姿勢にあるときに操作力が解除されることで前記操作前姿勢に自動的に復帰する移動切替操作具と、前記移動切替操作具の姿勢変更に連動して、前記移動可能状態と前記移動不能状態とで異なる表示をする移動切替状態表示部と、を備え、前記移動切替操作具が前記操作前姿勢のときに前記移動不能状態にできる一方、前記操作後姿勢のときに前記移動可能状態にできるように構成されているものである。
【０００９】
本発明の移動式家具によれば、使用者が移動切替操作具を操作したときに、移動切替状態表示部の表示の切替りが使用者の視野に入ることで、使用者は移動式家具が移動可能状態なのか移動不能状態なのかを視覚的に容易に判断できるので、利便性が向上する。また、移動切替操作具は、使用者が操作力を解除したときに操作前姿勢に自動的に復帰するので、移動切替操作具への操作力が解除されたときに移動式家具を移動可能状態から移動不能状態へ自動的に復帰でき、移動不能状態への切替え忘れを防止できる。
【００１０】
本発明の移動式家具において、前記移動切替操作具は、該移動式家具の上半部に設けられていることが好ましい。ここで、移動式家具の上半部とは、移動式家具を構成する各部のうち高さ方向における中間位置よりも上側に位置する部分を意味する。
【００１１】
このような態様によれば、移動切替操作具が移動式家具の上半部に設けられていることで、移動切替操作具の操作で移動式家具を移動可能状態にして移動させるときに、移動式家具を移動させながら移動切替操作具を操作しやすくなり、スムーズな家具の移動が可能になる。
【００１２】
また、本発明の移動式家具において、前記移動切替機構は、前記移動切替操作具とは別部材の移動切替操作部材の姿勢変更で、前記移動可能状態と前記移動不能状態とを切替え可能に構成されており、前記移動切替操作部材が前記移動不能状態にしているときに、前記移動切替操作具を前記操作後姿勢にすることで前記移動可能状態に切替え可能に構成されているようにしてもよい。
【００１３】
このような態様によれば、移動切替操作部材の姿勢変更で、継続的な移動可能状態と継続的な移動不能状態とを切替え可能に構成できるとともに、継続的な移動不能状態時において、移動切替操作具を操作することで一時的に移動可能状態にすることができ、利便性が向上する。
【００１４】
上記移動切替操作部材を備える構成において、前記移動切替状態表示部は、前記移動切替操作部材の姿勢変更にも連動して、前記移動可能状態と前記移動不能状態とで異なる表示をすることが好ましい。
【００１５】
このような態様によれば、使用者は、移動切替操作具の姿勢変更による移動可能状態と移動不能状態との切替えと、移動切替操作部材の姿勢変更による移動可能状態と移動不能状態との切替えとの両方において、移動式家具が移動可能状態なのか移動不能状態なのかを視覚的に容易に判断でき、利便性が向上する。
【００１６】
このような態様において、該移動式家具は、天板を支持する脚体の下部に前記キャスタを取り付け、前記天板を、左右水平に延びる回動軸を介して前記脚体に支持させ、略水平な使用姿勢と起立した収納姿勢との間で回動可能なテーブルを構成しており、前記移動切替操作部材は前記天板で構成されており、前記天板が前記収納姿勢のときに、前記移動切替機構は前記移動可能状態とするとともに、前記移動切替状態表示部が前記移動不能状態での表示とは異なる表示をするように構成されている例を挙げることができる。
【００１７】
このような態様によれば、天板が収納姿勢のときにキャスタの転動による移動可能状態とすることができ、天板収納姿勢時のテーブルの移動が容易になって利便性が向上する。
【００１８】
上記テーブルを構成する上記移動式家具において、前記移動切替操作具は、前記天板に設けられている、又は、使用者が前記天板を把持しながら操作可能な位置であって前記天板とは異なる部材に設けられているようにしてもよい。
また、本発明の移動式家具は、天板を支持する脚体の下部に前記キャスタを取り付けたテーブルを構成しており、前記移動切替操作具は、前記天板に設けられている、又は、使用者が前記天板を把持しながら操作可能な位置であって前記天板とは異なる部材に設けられているようにしてもよい。
ここで、「移動切替操作具は使用者が天板を把持しながら操作可能な位置であって天板とは異なる部材に設けられている」とは、使用者が天板を把持しながら手の届く位置（例えば脚支柱）に移動切替操作具が設けられていることを意味する。
【００１９】
このような態様によれば、使用者は自然な姿勢で移動切替操作具を操作しながらテーブル（移動式家具）を移動でき、利便性が向上する。
【００２０】
上記テーブルを構成する移動式家具において、前記脚体は、前記キャスタが取り付けられる脚ベースと、前記脚ベースから上向きに延びる脚支柱とを備え、前記移動切替状態表示部は、前記脚ベースの上面に設けられ、前記脚支柱に沿って設けられた連動部材を介して、前記移動切替操作具と前記移動切替状態表示部を連動させているようにしてもよい。
【００２１】
このような態様によれば、天板が起立して収納姿勢にあることで、使用者は脚体の脚ベース上面に設けた移動切替状態表示部を視認しやすくなる。また、移動切替状態表示部がテーブルの移動不能状態と移動可能状態とで異なる表示をすることで、収納姿勢のテーブルがキャスタの転動による移動可能状態にあることを把握しやすくなる。
【００２２】
本発明の他の態様は、キャスタの転動による移動可能状態と、前記キャスタの転動による移動を不能にする移動不能状態とに切り替える移動切替機構を備えた移動式家具であって、前記移動切替機構は、移動切替操作具と、前記移動切替操作具に連動部材を介して連結されて前記移動切替操作具の作動に連動する移動切替状態表示部を備え、前記移動切替状態表示部は、前記移動切替操作具と離間した位置に設けられているとともに、前記移動切替操作具の作動に連動して前記移動可能状態と前記移動不能状態とで異なる表示をするものである。
【００２３】
本発明の他の態様によれば、移動切替操作具と移動切替状態表示部とを互いに離間して設けることで、移動切替操作具を使用者が操作しやすい位置に設ける一方、移動切替状態表示部を使用者が視認しやすい位置に設けることができ、使用者は、移動切替操作具を容易に操作できるとともに、移動式家具が移動可能状態なのか移動不能状態なのかを移動切替状態表示部の表示で視覚的に容易に判断できるので、利便性が向上する。
【発明の効果】
【００２４】
本発明の移動式家具は、使用者が移動式家具の移動可能状態及び移動不能状態を視覚的に容易に判断でき、利便性を向上できる。
【図面の簡単な説明】
【００２５】
【図１】テーブルを示す斜視図であり、（Ａ）は使用姿勢、（Ｂ）は収納姿勢を示す。
【図２】テーブルを示す側面図であり、（Ａ）は使用姿勢、（Ｂ）は収納姿勢を示す。
【図３】使用姿勢のテーブルを示す平面図である。
【図４】左脚体周辺を拡大して示す斜視図である。
【図５】天板使用姿勢時における天板ロック機構及び移動切替機構の上部を示す側面図である。
【図６】天板収納姿勢時における天板ロック機構及び移動切替機構の上部を示す側面図である。
【図７】天板支持部の分離斜視図である。
【図８】天板使用姿勢時における脚体下部の縦断面図である。
【図９】脚体を斜め下から見た分離斜視図である。
【図１０】斜め上から見たキャスタの分離斜視図である。
【図１１】斜め下から見たキャスタの分離斜視図である。
【図１２】天板使用姿勢時における前キャスタ周辺を示す縦断面図である。
【図１３】天板使用姿勢時における後キャスタ周辺を示す縦断面図である。
【図１４】移動切替機構上部の分離斜視図である。
【図１５】移動切替機構上部の一時解除操作レバー周辺の分離斜視図である。
【図１６】移動切替機構下部のキャスタ操作レバー部材の分離斜視図である。
【図１７】一時解除操作レバー操作時における天板ロック機構及び移動切替機構の上部を示す側面図である。
【図１８】一時解除操作レバー操作時における脚体下部の縦断面図である。
【図１９】一時解除操作レバー操作時における前キャスタ周辺を示す縦断面図である。
【図２０】一時解除操作レバー操作時における後キャスタ周辺を示す縦断面図である。
【図２１】天板収納姿勢時における脚体下部の縦断面図である。
【図２２】天板収納姿勢時における前キャスタ周辺を示す縦断面図である。
【図２３】天板収納姿勢時における後キャスタ周辺を示す縦断面図である。
【発明を実施するための形態】
【００２６】
次に、本発明の実施形態を図面に基づいて説明する。本実施形態では、本発明を折り畳み式テーブルに適用している。本明細書では、便宜上、方向を特定するため前後・左右の文言を使用するが、この前後・左右の方向は、一対の脚体３，３が配列される方向を左右方向とし、水平面内で左右方向に直交する方向を前後方向としている。また、通常の使用状態で使用者が位置する側を手前又は後とし、その反対側を奥又は前としている。
【００２７】
図１は、テーブル１００全体の概略構成を示す斜視図であり、（Ａ）は使用姿勢、（Ｂ）は収納姿勢を示している。図２は、テーブル１００を示す側面図であり、（Ａ）は使用姿勢、（Ｂ）は収納姿勢を示している。図３は、使用姿勢のテーブル１００を示す平面図である。図４は、左側の脚体３周辺を拡大して示す斜視図である。図５は、天板１の使用姿勢時における天板ロック機構４及び移動切替機構１０の上部を示す側面図である。図６は、天板１の収納姿勢時における天板ロック機構４及び移動切替機構１０の上部を示す側面図である。
【００２８】
図１〜図４に示すように、本実施形態のテーブル１００は、天板１を左右水平に延びる回動軸としての連結管２を介して左右の脚体３，３に支持させている。天板１は、跳ね上げ可能に構成されており、略水平な使用姿勢（図１（Ａ）及び図２（Ａ）参照）と、脚体３の脚支柱７と略平行に起立した収納姿勢（図１（Ｂ）、図２（Ｂ）参照）との間で連結管２の軸線を中心として回動可能に構成している。
【００２９】
図５にも示すように、天板１と左右の脚体３，３の上端部とは、天板１の下面左右縁部において、天板１の姿勢を保持する天板ロック機構４を内部に有する天板支持部５を介して連結されている。天板支持部５の左右外向き側面に露出したロック解除操作レバー１５を上方へ押し上げることによりロックが解除され、天板１を使用姿勢と収納姿勢との間で回動変位させることができるようになっている。また、天板１の前縁部の下方には、脚支柱７よりも前方位置で左右方向に延びる幕板３０が設けられている。
【００３０】
脚体３は、床に沿って略前後方向に延びる脚ベース６と、脚ベース６の前端部から傾斜姿勢で立ち上がった四角筒状の脚支柱７とで側面視略Ｌ形の形状になっている。脚ベース６の前後両端部（脚体３の下部）に、前キャスタ８Ｆと後キャスタ８Ｒとが取り付けられている。
【００３１】
詳細は後述するが、キャスタ８Ｆ，８Ｒは、車輪の回転及び水平旋回が可能なキャスタロック解除状態と不能なキャスタロック状態とを切替え可能に構成されており、テーブル１００には、天板１下面に設けた移動切替操作具の一例としての一時解除操作レバー９の操作によって、キャスタ８Ｆ，８Ｒのキャスタロック解除状態（移動可能状態）とキャスタロック状態（移動不能状態）をと切り替える移動切替機構１０が設けられている。本実施形態では、一時解除操作レバー９はテーブル１００の上半部（テーブル１００を構成する各部のうち高さ方向における中間位置よりも上側に位置する部分）に設けられている。
【００３２】
移動切替機構１０は、天板１下面の手前側左右角部に設けた一時解除操作レバー９と、脚体３の脚ベース６の手前寄り部位に設けた移動切替状態表示部５０とを備えている。移動切替状態表示部５０は、一時解除操作レバー９の操作に連動して、移動可能状態と移動不能状態とで異なる表示をするように構成されている。
【００３３】
本実施形態では、脚ベース６上面に設けた覗き窓５１と、脚ベース６内部に前後方向摺動可能に設けた移動不能表示部５２Ａ及び第１移動可能表示部５２Ｂとを備え、移動不能表示部５２Ａと第１移動可能表示部５２Ｂは、前後に並べられるとともに、互いに異なる色を有している。そして、天板１が使用姿勢のときに、一時解除操作レバー９が操作されていないキャスタロック状態では覗き窓５１の直下に移動不能表示部５２Ａが位置し、一時解除操作レバー９が使用者によって操作されたキャスタロック解除状態では覗き窓５１の直下に第１移動可能表示部５２Ｂが位置するように構成されている。
【００３４】
テーブル１００によれば、使用者が目線を下方へ向けて天板１下面の一時解除操作レバー９を操作するときに、天板１下方の脚体３に設けた移動切替状態表示部５０の表示の切替りが使用者の視野に入ることで、使用者はテーブル１００が移動可能状態なのか移動不能状態なのかを視覚的に容易に判断できるので、利便性が向上する。また、使用者は、一時解除操作レバー９の機能を知らない場合であっても、一時解除操作レバー９の操作に連動して、脚体３に設けた移動切替状態表示部５０の表示が切り替わることで、一時解除操作レバー９の操作がキャスタ８Ｆ，８Ｒの転動によるテーブル１００の移動の可不可を切り替えることを連想でき、一時解除操作レバー９の機能を理解しやすくなる。
【００３５】
次に、図７〜図１６も参照しながら、テーブル１００の各部について説明する。以下の各部の説明において、天板１が使用姿勢にあるときの前後方向及び上下方向を基準とする。図７は、天板支持部５の分離斜視図である。図８は、天板使用姿勢時における脚体３下部の縦断面図である。図９は、脚体３を斜め下から見た分離斜視図である。図１０は、斜め上から見たキャスタ８Ｆ，８Ｒの分離斜視図である。図１１は、斜め下から見たキャスタキャスタ８Ｆ，８Ｒの分離斜視図である。図１２は、天板１の使用姿勢時における前キャスタ８Ｆ周辺を示す縦断面図である。図１３は、天板１の使用姿勢時における後キャスタ８Ｒ周辺を示す縦断面図である。図１４は、移動切替機構１０上部の分離斜視図である。図１５は、移動切替機構１０上部の一時解除操作レバー９周辺の分離斜視図である。図１６は、移動切替機構１０下部のキャスタ操作レバー部材９１を分離してキャスタ８Ｆ，８Ｒとともに示す斜視図である。
【００３６】
図１〜図１０に示すように、脚体３は、脚支柱７の上端部に連結された樹脂製の伝達プレート案内部材１１を備える。伝達プレート案内部材１１は、略直方体の形態を有し、下部及び中途部が四角筒状の脚支柱７上端部内に挿入され、上部が脚支柱７の上端から上向きに露出するようにして、脚支柱７に固定される。伝達プレート案内部材１１の上部は、左右方向に開口する枠状部１１ａに形成されており、後述する上下伝達プレート部材８１の上端部及び操作伝達ピン７２が枠状部１１ａ内で変位可能に構成されている。
【００３７】
脚支柱７の上部及び伝達プレート案内部材１１の上部の左右内向き側面に金属製の脚連結部材２０が取り付けられ、左右の脚体３，３は、左右の脚連結部材２０が円筒形の連結管２で連結することで一体化されている。
【００３８】
左右の天板支持部５は、連結管２の両端部に回転可能に支持されるとともに、天板１下面の左右端部寄り部位に固定される。図３に示すように、左右の天板支持部５は、概ね同じ構造を有している。天板支持部５の本体を構成する上アーム１２が図示しない取付ねじで天板１下面に取り付けられる。
【００３９】
図６に示すように、金属製の上アーム１２は、天板１下面に取り付けられる前後方向に長い板状の天面部１３と、天面部１３の左右両側縁から下向きに延出した側面部１４，１４とを有する断面略コ字形で内部が中空状に形成されている。なお、図６では、天面部１３が左右方向中央位置で前後方向に沿って分割されているが、上アーム１２は天面部１３が分割されていない一体物であってもよい。側面部１４は、長手方向中央部が天面部１３とは逆向きに突出した側方視略凸形の形態を有する。上アーム１２の両側面部１４，１４間に天板ロック機構４が配置されている。上アーム１２の下向き開口及び前後向き開口は、上アーム１２の側面部１４，１４縁部に取り付けられる下部カバー部材３７で塞がれている。
【００４０】
図５〜図７に示すように、天板ロック機構４は、連結管２を前後で挟んで連結管２及び脚連結部材２０に相対回転不能に固着される金属製のロック部材１６及び天板ストッパ部材１７と、上アーム１２に左右方向に延びる軸回りに回動自在に取り付けられる金属製のロック爪部材１８及びロック爪支軸１９等を備えている。
【００４１】
上アーム１２の側面部１４，１４には、連結管２が挿通される円形の軸受孔２６，２６が形成されている。連結管２の左右端部には、連結管２外周面に沿って奥向きに開口するロック部材１６の前向き円弧部１６ｃに設けた前向きボス部１６ａが挿入される後開口部２ａと、連結管２外周面に沿って手前向きに開口する天板ストッパ部材１７の後向きボス部１７ａが挿入される前開口部２ｂとが前後方向で対向して設けられている。脚連結部材２０は、正面視略Ｌ字形を有し、下方に延びた連結部２８が脚体３上部にボルト締結され、左右内向きの延びた円柱状のロック部材固定部２９が連結管２内に挿入されるようになっている。脚連結部材２０のロック部材固定部２９の先端部の前向き側面にはロック部材１６の前向きボス部１６ａが嵌り込む固定用凹部２９ａが形成されている。
【００４２】
連結管２の後開口部２ａ及び前開口部２ｂが上アーム１２の側面部１４，１４の間に位置するように連結管２を軸受孔２６，２６に挿通し、脚連結部材２０のロック部材固定部２９を左右外側から連結管２に挿入する。そして、脚連結部材２０のロック部材固定部２９の固定用凹部２９ａに連結管２の後開口部２ａを介してロック部材１６の前向きボス部１６ａを嵌め込む一方、天板ストッパ部材１７の後向きボス部１７ａを連結管２の前開口部２ｂに嵌め込んで、連結管２及びロック部材固定部２９をロック部材１６と天板ストッパ部材１７とで挟み込む。その上で、天板ストッパ部材１７側からロック部材固定ボルト３６を後向きボス部１７ａ及び固定用凹部２９ａ底部にそれぞれ設けたボルト挿通穴を介して、前向きボス部１６ａに捩じ込んで、連結管２、脚連結部材２０、ロック部材１６及び天板ストッパ部材１７を相対回転不能に固定する。
【００４３】
このように、天板１は、上アーム１２を介して連結管２回りに回動自在に設けられている。なお、天板１の連結管２は、左右の脚体３，３の間を連結している構成に限定されず、連結管２は、左右の脚体３，３のそれぞれに設けられて、左右の連結管２が分離して設けられてもよい。
【００４４】
図５〜図７に示すように、天板支持部５内に、軸受孔２６，２６よりも手前側で上アーム１２の側面部１４，１４に設けた支持孔２７，２７に架設したロック爪支軸１９に相対回転不能に支持されるロック爪部材１８がロック爪支軸１９回りに回動可能に設けられている。また、天板ロック機構４には、ロック爪部材１８を連結管２側へ向けて付勢する弾性付勢部材２５が設けられている。
【００４５】
金属製板状のロック爪部材１８は、天板１下面に略直交する方向に延びる回動基端側部分と連結管２側へ向けて屈曲した回動先端側部分とを有する略Ｌ字形に設けられ、回動基端側部分の天板１寄り部位に設けられてロック爪支軸１９の面取り部１９ａが挿通される小判型の軸挿通孔１８ａと、回動先端側部分に天板１側へ向けて突設されたロック爪部１８ｂと、回動先端側部分のうち天板１から遠い角部で構成されるロック爪角部１８ｃとを有する。
【００４６】
弾性付勢部材２５は、キックばねで構成し、該キックばねのコイル部２５ａにロック爪支軸１９が挿通され、一方の弾性片２５ｂは上アーム１２の天面部１３に当止し、他方のクランク状に屈曲した弾性片２５ｃはロック爪部材１８の回動先端側部分のうちロック爪部１８ｂとは反対側の部位に係止するように構成されている。
【００４７】
ロック爪支軸１９の左右外側端部は、上アーム１２から左右外向きに突出しており、該左右外側端部に、ロック解除操作レバー１５が相対回転不能に固定されている。ロック爪支軸１９の左右内側端部は、上アーム１２から左右内向きに突出しており、該左右内側端部に、左右のロック解除操作レバー１５を連動するための角管状のロック連動シャフト３５が相対回転不能に固定されている。
【００４８】
図４及び図５に示すように、天板１が使用姿勢のときには、ロック爪部材１８の前方に設けたロック部材１６のロック爪係合部１６ｂにロック爪部材１８のロック爪部１８ｂが係合して、天板１手前縁部の上向き回動が規制される。また、天板１が使用姿勢のときには、ロック爪部材１８とは左右方向でズレた位置でロック部材１６に設けたロック部材天面部１６ｅに天板支持部５の上アーム１２の天面部１３下面が接触することで、天板１手前縁部の下向き回動が規制される。これにより、天板１は略水平な使用姿勢に保持される。
【００４９】
図６に示すように、天板１が収納姿勢のときには、ロック爪部材１８の下方に位置するロック部材１６のロック爪角部係合部１６ｄにロック爪部材１８のロック爪角部１８ｃが係合して、天板１手前縁部の手前向き回動が規制される。また、天板１が収納姿勢のときには、連結管２の奥側に取り付けた天板ストッパ部材１７の手前向き円弧部１７ｃの下部から奥向きに突設したストッパ部１７ｂに、天板支持部５の上アーム１２の天面部１３下面に取り付けたバンパー部材２１が接触することで、天板１手前縁部の奥向き回動が規制される。これにより、天板１は起立した収納姿勢に保持される。
【００５０】
なお、ロック部材１６は、ロック爪係合部１６ｂとロック爪角部係合部１６ｄとの間に、係合部１６ｂ，１６ｄよりも連結管２から離れた位置に設けたロック爪案内部１６ｆを有している。ロック解除操作レバー１５を操作して天板１を使用姿勢又は収納姿勢にすべく回動する際には、ロック爪部材１８を連結管２側へ付勢する弾性付勢部材２５の弾性力によってロック爪部材１８の回動先端側部分がロック爪案内部１６ｆで案内されて、自動的にロック爪部１８ｂ又はロック爪角部１８ｃがロック爪係合部１６ｂ又はロック爪角部係合部１６ｄに係合してロックがかかる。
【００５１】
また、天板１の前縁部の下方に設けた幕板３０は、天板１の回動に伴って変位するように構成されている。天板１下面の左右中央部及び左右縁部の前縁部寄り部位には、下前方に向けて延びる幕板支持アーム３１が設けられている。各幕板支持アーム３１は、幕板３０の上端部に設けられた上側枢着部材３２に、左右方向に延びる軸周りに回動自在に連結されている。幕板３０の左右縁部の下寄り部位には、下側枢着部材３３を介して、幕板リンク杆３４の一端部が左右方向に延びる軸回りに回動自在に連結されている。幕板リンク杆３４の他端部は、脚支柱７の上下中途部に、左右方向に延びる軸回りに回動自在に連結されている。
【００５２】
幕板３０は、天板１が使用姿勢のときには天板１の前縁部の下方で略鉛直方向に沿って延びる幕板使用姿勢に配置される。使用姿勢にある天板１の手前側を連結管２回りに上向き回動させて天板１を収納姿勢にすると、天板１と一体回動する幕板支持アーム３１が幕板３０の上端部を脚支柱７の近傍へ移動させ、これに伴って幕板リンク杆３４が脚支柱７側の回動軸回りに回動して幕板３０の下端部を脚支柱７の近傍へ移動させる。これにより、天板１が収納姿勢のときには、幕板３０は、側面視で脚支柱７と略平行に延びる幕板収納姿勢になる。
【００５３】
次に、図８及び図９を参照しながら、脚体３の脚ベース６及びキャスタ８Ｆ，８Ｒについて説明する。脚ベース６は、前部（奥側）が上向きに突出した側面視略Ｌ字形であり、内部が中空状で下向きに開口している。脚ベース６の前端部内と後端部内に前キャスタ８Ｆと後キャスタ８Ｒが取り付けられている。脚ベース６の前側壁部及び後側壁部は前後方向に開口しており、これらの開口は、脚ベース６の前端部と後端部に取り付けられる脚前カバー２２Ｆと脚後カバー２２Ｒで塞がれている。カバー２２Ｆ，２２Ｒは、脚ベース６のベース天面部６ａ上面よりも下方に配置されている。
【００５４】
キャスタ８Ｆ，８Ｒは、同じ構造を有し、詳細は後述するが、脚ベース６に相対回転不能に取り付くとともに下向きに開口した平面視略円形のアウター部材１０４と、アウター部材１０４の内部に水平旋回自在に装着した平面視略円形のインナー部材１０５と、インナー部材１０５に回転自在に装着した車輪１０６などを備えている。
【００５５】
図９に示すように、キャスタ８Ｆ，８Ｒのアウター部材１０４は、平面視で前後方向及び左右方向に沿った４辺をもつ四角形の各頂点に向けて略水平に突出する４つのキャスタフランジ部１４３を備えている。各キャスタフランジ部１４３は、脚ベース６内部の前端部及び後端部にキャスタフランジ部１４３に対応して４つずつ設けたキャスタ取付ボス部６１に下方からねじ込まれるキャスタ取付ねじ６２で脚ベース６に固定される。
【００５６】
脚前カバー２２Ｆと脚後カバー２２Ｒは、４つのキャスタフランジ部１４３のうち前後外側に位置する左右のキャスタフランジ部１４３と平面視で重なる位置に、前後内向きに突出する左右一対の取付フランジ部２２ａを備えている。取付フランジ部２２ａは、キャスタ取付ねじ６２でキャスタフランジ部１４３とともにキャスタ取付ボス部６１に共締め固定される。これにより、カバー２２Ｆ，２２Ｒを、専用の取付ねじを使用することなく、キャスタ取付ねじ６２で脚ベース６に強固に固定できる。
【００５７】
図１０〜図１３を参照しながら、キャスタ８Ｆ，８Ｒについて説明する。キャスタ８Ｆ，８Ｒは、下向きに開口した平面視略円形のアウター部材１０４と、アウター部材１０４の内部に鉛直方向に延びる水平旋回中心Ｏまわりに水平旋回自在に装着した平面視略円形のインナー部材１０５と、インナー部材１０５に回転自在に装着した車輪１０６などを備えている。両部材１０４，１０５はともに合成樹脂製である。
【００５８】
インナー部材１０５の内部には、インナー部材１０５の水平旋回及び車輪１０６の回転をロック状態又はロック解除状態に切り替える合成樹脂製のキャスタロック部材１０８が上下方向に摺動自在に設けられている。また、インナー部材１０５の下部には、キャスタロック部材１０８を上向きに付勢する弾性部材１１０を支持するキャスタカバー部材１０９が取り付けられている。
【００５９】
アウター部材１０４とインナー部材１０５との間には、インナー部材１０５の水平旋回を容易ならしめるためのスライダ部材１０７が介在されている。スライダ部材１０７は、ＰＯＭ樹脂やポリアセタールのように摩擦係数が小さい合成樹脂からなり、中央部に穴を有する円板状の形態を有し、水平旋回中心Ｏを囲うように配置される。
【００６０】
アウター部材１０４は、下向きに解放された有底筒状の形態を有し、上端側が天板部１４１で塞がれた筒部１４２を備えている。上述のように、アウター部材１０４は、脚ベース６に設けたキャスタ取付ボス部６１に取り付くキャスタフランジ部１４３が形成されている。また、天板部１４１の平面視中心部に略円筒状の係合爪部１４４が下向きに突設されている一方、インナー部材１０５における天板部１５１の平面視中央部には、アウター部材１０４の係合爪部１４４が弾性に抗して嵌合する円形の係合穴１５２を設けている。このため、インナー部材１０５は、水平旋回が許容された状態でアウター部材１０４に抜け不能に取り付いている。
【００６１】
上述のように、アウター部材１０４とインナー部材１０５との間には、スライダ部材１０７が介在される。ドーナツ板状のスライダ部材１０７の上面１０７ａ及び下面１０７ｂのそれぞれに、水平旋回中心を囲う凸条部１７１，１７２が形成されている。凸条部１７１，１７２は、水平旋回中心Ｏを囲うように渦巻状に設けられるとともに、水平旋回中心Ｏから見て放射方向に二重になるように設けられている。また、凸条部１７１，１７２は、平面視で重なるように同じ形状に形成されている。
【００６２】
アウター部材１０４の天板部１４１の下向面１４１ａには、スライダ部材１０７に対向する位置に、水平旋回中心Ｏを囲うように並べられた複数の凸部１４０が形成されている。インナー部材１０５の天板部１５１の上向面１５１ａには、スライダ部材１０７に対向する位置に、水平旋回中心Ｏを囲うように並べられた複数の凸部１５０が形成されている。本実施形態では、凸部１４０，１５０は、スライダ部材１０７の凸条部１７１，１７２に平面視で交差するように、水平旋回中心Ｏから放射方向へ延びて設けられている。
【００６３】
キャスタ８Ｆ，８Ｒが脚ベース６に取り付けられ、アウター部材１０４に下向きの荷重がかかる状態で、アウター部材１０４の各凸部１４０とスライダ部材１０７の凸条部１７１が平面視で交差する位置で、各凸部１４０の頂部が凸条部１７１の頂部に接触する。また、インナー部材１０５の各凸部１５０とスライダ部材１０７の凸条部１７２が平面視で交差する位置で、各凸部１５０の頂部が凸条部１７２の頂部に接触する。各凸部１４０，１５０は、凸条部１７１又は１７２と２箇所で接触する。なお、各凸部１４０，１５０及び凸条部１７１，１７２にはグリスが塗られている。
【００６４】
このように、キャスタ８Ｆ，８Ｒは、スライダ部材１０７とアウター部材１０４及びインナー部材１０５との接触面積を小さくでき、アウター部材１０４の水平旋回性能を高めることができる。これにより、テーブル１００のスムーズな移動が可能になる。例えば、テーブル１００が大型テーブルであっても、キャスタ８Ｆ，８Ｒのインナー部材１０５の水平旋回性能を高めたことで、テーブル１００のスムーズな移動が可能になる。
【００６５】
インナー部材１０５は、下向きに解放された有底筒状の形態を有し、上端側が天板部１５１で塞がれた筒部１５５を備えている。天板部１５１の下面には、左右一対の車軸受け部１５３を一体成形している。両車軸受け部１５３の下部には水平旋回中心Ｏからずれた部位に下向きに開口した車軸係止穴１５３ａを設け、両車軸係止穴１５３ａに車輪１０６の車軸１６１を下方から弾性に抗して嵌め込んでいる。
【００６６】
車輪１０６の外側面には、後に詳述するキャスタロック部材１０８の両端から内向きに突出する一対の車輪ストッパ部１８２ａを係止する係止部１６２が設けられている。本実施例では、車輪ストッパ部１８２ａが車輪１０６の回転中心（車軸１６１の軸線）から離反する時、車輪ストッパ部１８２ａが係止部１６２に嵌まって車輪１０６の回転をロックでき、車輪ストッパ部１８２ａが車輪１０６の回転中心方向に近づく時、車輪ストッパ部１８２ａが係止部１６２から外れて車輪１０６をロック解除できるように構成されている。
【００６７】
インナー部材１０５の水平旋回及び車輪１０６の回転をロック状態又はロック解除状態に切り替えるキャスタロック部材１０８は、インナー部材１０５の左右の車軸受け部１５３の間に上下摺動自在に配置される。キャスタロック部材１０８は、略水平に配置される板状のロック部材本体部１８１を備えている。ロック部材本体部１８１の車輪１０６側の左右角部には車輪１０６の車軸１６１の上方に向かって略水平に延びる左右一対のストッパアーム部１８２が設けられ、各ストッパアーム部１８２の先端部に左右内向きに突出する車輪ストッパ部１８２ａが設けられている。
【００６８】
ロック部材本体部１８１の上面に、略円柱状の押圧突起部１８４が上向きに突設されている。押圧突起部１８４は、インナー部材１０５の係合穴１５２に係合したアウター部材１０４の円筒状の係合爪部１４４の内部に挿通される。
【００６９】
ロック部材本体部１８１の車輪１０６とは反対側の端部には、水平旋回中心Ｏを中心として略水平に放射状に突出する３つの係止爪１８３が等間隔に設けられている。インナー部材１０５の筒部１５５には、キャスタロック部材１０８の押圧突起部１８４が係合爪部１４４に挿通された状態で、係止爪１８３をインナー部材１０５の外部に露出させる開口部１５７が設けられている。アウター部材１０４の筒部１４２の内周壁に、キャスタロック部材１０８の係止爪１８３が下方から嵌り込む複数の係止凹部１４５が３つの係止爪１８３の配列ピッチに合わせて周方向に等間隔に設けられている。
【００７０】
また、アウター部材１０４の天板部１４１の上面には、後述する前キャスタ操作レバー９２Ｆ又は後キャスタ操作レバー９２Ｒが装着される。キャスタ操作レバー９２Ｆ，９２Ｒは、水平旋回中心Ｏを通って上向きに延びてアウター部材１０４上に突出するキャスタロック部材１０８の押圧突起部１８４を下向き押圧又は開放することにより、キャスタロック部材１０８を上下方向に揺動させて車輪１０６及びインナー部材１０５をロック又はロック解除するように構成されている。
【００７１】
本実施形態では、アウター部材１０４の天板部１４１の上面に、円筒状の係合爪部１４４の開口を挟んで互いに平行な一対の操作レバー保持用リブ１４６を設け、操作レバー保持用リブ１４６の上端部に複数の係合突起部１４６ａを内向きに突設している。そして、天板部１４１上面と係合突起部１４６ａとの間にキャスタ操作レバー９２Ｆ又は９２Ｒの縁部を水平方向に差し込むことで、キャスタ操作レバー９２Ｆ又は９２Ｒを一対の操作レバー保持用リブ１４６間で操作レバー保持用リブ１４６の長手方向に沿って摺動可能に設けている。合成樹脂製のキャスタ操作レバー９２Ｆ，９２Ｒの下面には、押圧突起収容凹部９４と、押圧突起収容凹部９４に前後で隣接する前後一対の押圧突起押下げ部９５が設けられている。
【００７２】
図１２及び図１３に示すように、キャスタロック部材１０８の押圧突起部１８４の上方に押圧突起収容凹部９４が位置する状態では、キャスタロック部材１０８は弾性部材１１０の弾性力で上方へ押し上げられて上方位置（ロック位置）に位置する。この状態では、キャスタロック部材１０８の車輪ストッパ部１８２ａが係止部１６２に嵌まって車輪１０６の回転がロックされるとともに、係止爪１８３が係止凹部１４５に嵌り込んで、アウター部材１０４に対するキャスタロック部材１０８及びインナー部材１０５の水平旋回をロックする。
【００７３】
図１９、図２０、図２２及び図２３に示すように、キャスタロック部材１０８の押圧突起部１８４の上方に押圧突起押下げ部９５が位置する状態では、キャスタロック部材１０８は弾性部材１１０の弾性力に抗して下方へ押し下げられて下方位置（ロック解除位置）に位置する。この状態では、キャスタロック部材１０８の車輪ストッパ部１８２ａが係止部１６２から外れることで車輪１０６がロック解除されて回転自在になるとともに、係止爪１８３が係止凹部１４５から外れて、キャスタロック部材１０８及びインナー部材１０５がアウター部材１０４に対して水平旋回自在になる。
【００７４】
次に、図３〜図６及び図１４〜図１６等を参照しながら、移動切替機構１０について説明する。図４〜図６及び図８にも示すように、移動切替機構１０は、天板１下面の手前側左右角部に設けた一時解除操作レバー９と、一時解除操作レバー９の操作に連動する移動切替状態表示部５０及びキャスタ操作レバー部材９１とを備える。テーブル１００には、左右一対の移動切替機構１０が左右対称に設けられている。
【００７５】
本実施形態では、一時解除操作レバー９は手前側へ引っ張り操作可能に構成されており、操作力が加えられていない操作前姿勢（図３〜図５参照）と、操作力が加えられて変位した操作後姿勢（図１７参照）とに姿勢変更可能に構成されている。一時解除操作レバー９の操作は、天板支持部５の左右外側かつ天板１直下で前後方向に延びるレバープレート部材４１と、脚体３上部に設けられた回動伝達プレート部材７１と、脚支柱７内で上下方向に延びる上下伝達プレート部材８１と、脚ベース６内で前後方向に延びるキャスタ操作レバー部材９１とを介して、移動切替状態表示部５０及びキャスタ８Ｆ，８Ｒに伝達される。
【００７６】
図１４及び図１５に示すように、前後方向に延びるレバープレート部材４１の後端部下面に側面視Ｌ字形の一時解除操作レバー９が左右の固定ネジ４２で固定されている。一時解除操作レバー９は、天板１下面の左右角部に下方から取り付くレバーガイド部材４３で支持される。レバーガイド部材４３は、上向き開口及び手前向き開口を有する箱型の形態を有し、一時解除操作レバー９の前部はレバーガイド部材４３内で前後摺動可能に支持されるとともに、後部はレバーガイド部材４３の後端部から後向きに露出して下垂している。一時解除操作レバー９の前部に上向き及び前向きに開口する空洞部に左右一対の引張コイルばねからなる弾性部材４４，４４が収容されており、弾性部材４４は、一時解除操作レバー９の中途部位とレバーガイド部材４３の前端部との間に架設されて、一時解除操作レバー９を前向きに付勢している。これにより、一時解除操作レバー９は、操作力が加えられていない操作前姿勢（図３〜図５参照）と、操作力が加えられて変位した操作後姿勢（図１７参照）とに姿勢変更可能であるとともに、操作後姿勢にあるときに操作力が解除されることで操作前姿勢に自動的に復帰するように構成されている。
【００７７】
図３に示すように、レバープレート部材４１は、天板支持部５よりも左右外側位置で、天板１の手前側左右角部から連結管２よりも前方位置まで前後方向に延設されている。レバープレート部材４１の中途部の左右内側縁部に、下向きに延びる回動プレート連結部４５が脚連結部材２０へ向けて延設されている。脚連結部材２０の左右外向き側面の上部に設けた回動軸取付穴７８に左右外側からねじ込まれる回動プレート支軸部材７７に、回動伝達プレート部材７１が回動自在に（姿勢変更可能に）支持されている。回動プレート支軸部材７７の軸線は、左右方向に延びる連結管２の中心軸と同一軸線上に設けられている。
【００７８】
回動プレート連結部４５に設けたねじ穴４５ａに、回動伝達プレート部材７１の上部に上向きに突出するレバープレート連結部７４に設けた上下縦長の長穴７４ａを介して連結ピン７５が左右外側からねじ込まれることで、レバープレート部材４１と回動伝達プレート部材７１とが連動連結されている。
【００７９】
なお、回動伝達プレート部材７１と回動プレート支軸部材７７の頭部との間には、脚連結部材２０に相対回転不能に取り付けられる回動プレート押え部材７６が介設されている。回動プレート押え部材７６は回動伝達プレート部材７１の左右方向への移動及び傾斜を抑制する。
【００８０】
図１４及び図１５に示すように、レバープレート部材４１の前端部には、平面視で連結管２よりも前方位置で左右内向きの屈曲した屈曲部４８が設けられており、屈曲部４８の左右内向き先端部には下向きに延びる連動レバー連結部４６が設けられている。屈曲部４８の上面には、屈曲部４８の天板１への接触を防止するバンパー部材４９が取り付けられている。連動レバー連結部４６には左右外向きに延びる連結ピン４７が突設されている。
【００８１】
図７にも示すように、天板支持部５には、軸受孔２６，２６よりも前側（奥側）の位置で上アーム１２の側面部１４，１４に設けた左右の連動レバー支持孔６６，６６が設けられ、連動レバー支持孔６６，６６に連動レバー支軸６４が回転自在に支持される。上アーム１２の左右外側に突出する連動レバー支軸６４の左右外側端部に連動レバー部材６３の回動基端側が相対回転不能に取り付けられている。連動レバー部材６３の回動先端部の左右内向き側面（上アーム１２の側面部１４に対向する面）に設けた長穴６３ａ（図１５参照）に連結ピン４７が挿入されており、レバープレート部材４１の前後方向移動に連動して連動レバー部材６３が連動レバー支軸６４回りに回動するように構成されている。
【００８２】
連動レバー支軸６４の左右内側端部は、上アーム１２から左右内向きに突出しており、該左右内側端部に、テーブル１００に設けた左右の連動レバー部材６３を連動するための角管状の一時解除連動シャフト６５が相対回転不能に固定されている。テーブル１００に設けた左右の一時解除操作レバー９のうち一方を手前側へ引っ張り操作すると、操作した一時解除操作レバー９に固着するレバープレート部材４１の手前側変位に伴って一時解除連動シャフト６５が回動し、他方のレバープレート部材４１及び一時解除操作レバー９が手前側へ変位するように構成されている。
【００８３】
図５、図６、図１４及び図１５に示すように、脚連結部材２０の左右外向き側面の上部に左右方向に延びる回動プレート支軸部材７７回りに回動自在に設けた回動伝達プレート部材７１には、上向きに突出した上述のレバープレート連結部７４と、手前向き（後向き）に突設した伝達プレート連結部７３が設けられている。伝達プレート連結部７３には、左右外向きに延びる操作伝達ピン７２が突設されている。
【００８４】
操作伝達ピン７２は、脚支柱７内で上下方向に延びる上下伝達プレート部材８１上端部の伝達ピン挿通穴８１ａに、脚支柱７の上部に固定される脚連結部材２０の枠状部１１ａ内で連結されている。脚連結部材２０の中途部及び下部には、左右外向きに開口して上下伝達プレート部材８１が上下方向に挿通される案内凹部１１ｂが枠状部１１ａの下方に設けられている。枠状部１１ａの左右外側面の開口は、脚上部カバー部材３８で塞がれる。
【００８５】
上下伝達プレート部材８１の上部は、案内凹部１１ｂの底部とは間隔を空けて脚連結部材２０の中途部及び下部の左右外側面部に設けた上側規制部１１ｃ及び下側規制部１１ｄと案内凹部１１ｂの底部との間に上下方向に挿通され、左右方向への移動が規制される一方、回動プレート支軸部材７７を回動中心とする操作伝達ピン７２の変位に連動して枠状部１１ａ内及び案内凹部１１ｂで上下方向及び前後方向に変位可能に構成されている。
【００８６】
図４、図８及び図１３に示すように、上下伝達プレート部材８１は、伝達プレート案内部材１１の枠状部１１ａ内から脚支柱７の内部を通って脚ベース６の前部内へ導かれている。脚ベース６と脚支柱７は、脚ベース６前部の前部天面部６８に設けた前後一対のねじ挿通穴に下方からねじ込まれる脚ベース固定用ねじ６９が、脚支柱７下部の内部に設けたナット部材６７に捩じ込まれることで連結されている。
【００８７】
上下伝達プレート部材８１の下部は、前後一対の脚ベース固定用ねじ６９の間の位置で、ナット部材６７の前後中央部に設けた伝達プレート挿通孔６７ａと脚ベース６の前部天面部６８の前後中央部に設けた伝達プレート案内孔６８ａとを介して、脚ベース６前部の内部へ導かれている。上下伝達プレート部材８１の下端には、上下伝達プレート部材８１下端部の下方に位置する前キャスタ操作レバー９２Ｆの傾斜天面部９３に接触する前低後高姿勢のスライダ傾斜面８２ａを有する樹脂製のスライダ部材８２が固定されている。脚ベース６前部の内部には、伝達プレート案内孔６８ａよりも前方位置で前部天面部６８下面から斜め前向きに下垂して上下伝達プレート部材８１下端部及びスライダ部材８２の前向き移動を規制する伝達プレート規制リブ７０が左右方向に延びて設けられている。なお、伝達プレート規制リブ７０の左右両端部は、脚ベース６の左右側壁部の内壁に繋がっている。
【００８８】
次に、図４、図８、図９、図１２、図１３及び図１６等を参照しながら、脚ベース６内部に設けられるキャスタ操作レバー部材９１について説明する。キャスタ操作レバー部材９１は、前キャスタ８Ｆ上面に装着される前キャスタ操作レバー９２Ｆと、後キャスタ８Ｒ上面に装着される後キャスタ操作レバー９２Ｒと、キャスタ操作レバー９２Ｆと９２Ｒとを連結するレバー連結部材９６とを備える。
【００８９】
図１３及び図１６に示すように、前キャスタ操作レバー９２Ｆは、前部９２Ｆｃが上向きに突出した側面視略Ｌ字形の形態を有し、前部９２Ｆｃの左右側面下端部に左右外向きに突設した左右の係合フランジ部９２Ｆａが前キャスタ８Ｆの天板部１４１上面と係合突起部１４６ａとの間に水平方向に差し込まれることで、前キャスタ８Ｆ上面に前後摺動可能に装着されている。
【００９０】
前キャスタ操作レバー９２Ｆの前部９２Ｆｃに設けた傾斜天面部９３は前低後高の傾斜面に形成され、傾斜天面部９３上方に配置されるスライダ部材８２のスライダ傾斜面８２ａが傾斜天面部９３に接触しながら下向きに変位するときに前キャスタ操作レバー９２Ｆが後向きにスライドするように構成されている。前キャスタ操作レバー９２Ｆの前部９２Ｆｃの下面には、前キャスタ８Ｆの天板部１４１に対峙する位置に、押圧突起収容凹部９４と、押圧突起収容凹部９４に前後で隣接する前後一対の押圧突起押下げ部９５が設けられている。
【００９１】
前キャスタ操作レバー９２Ｆの後部９２Ｆｂは、前後方向に延びる金属製のレバー連結部材９６の前端部に前レバー固定ねじ９６Ｆで固着されている。レバー連結部材９６は、上向きに開口するコ字形の断面形状を有している。レバー連結部材９６の後端部には、後キャスタ操作レバー９２Ｒの前部９２Ｒｃが後レバー固定ねじ９６Ｒで固着されている。前後のキャスタ操作レバー９２Ｆ，９２Ｒ及びレバー連結部材９６を有するキャスタ操作レバー部材９１は、脚ベース６内で一体的に前後方向に摺動可能に設けられている。
【００９２】
図１２及び図１６に示すように、後キャスタ操作レバー９２Ｒは、前後方向に延びる後部９２Ｒｂの左右側面下端部に左右外向きに突設した左右の係合フランジ部９２Ｒａが後キャスタ８Ｒの天板部１４１上面と係合突起部１４６ａとの間に水平方向に差し込まれることで、後キャスタ８Ｒ上面に前後摺動可能に装着されている。後キャスタ操作レバー９２Ｒの後部９２Ｒｂの下面には、後キャスタ８Ｒの天板部１４１に対峙する位置に、押圧突起収容凹部９４と、押圧突起収容凹部９４に前後で隣接する前後一対の押圧突起押下げ部９５が設けられている。
【００９３】
後キャスタ操作レバー９２Ｒの前部９２Ｒｃ上面の前後中央部位には、左右横長の移動不能表示部５２Ａが設けられている。移動不能表示部５２Ａは、前部９２Ｒｃ上面に取り付けられる略板状の移動不能表示部材５３の上面で構成される。また、後キャスタ操作レバー９２Ｒ前部上面には、移動不能表示部５２Ａの前方位置に隣接して左右横長の第１移動可能表示部５２Ｂが設けられ、移動不能表示部５２Ａの後方位置に隣接して左右横長の第２移動可能表示部５２Ｃが設けられている。脚ベース６のベース天面部６ａの前寄り部位（後キャスタ操作レバー９２Ｒの前部９２Ｒｃの上方位置）に、表示部５２Ａ，５２Ｂ，５２Ｃの前後幅よりも幅狭の左右横長の覗き窓５１が上下方向に開口している。覗き窓５１及び表示部５２Ａ，５２Ｂ，５２Ｃは、移動切替状態表示部５０を構成している。
【００９４】
例えば、移動可能表示部５２Ｂ，５２Ｃは後キャスタ操作レバー９２Ｒの素材と同じ色を有し、移動不能表示部５２Ａは、後キャスタ操作レバー９２Ｒの後部９２Ｒｂ上面に取り付けられる移動不能表示部材５３の素材と同じ色を有している。移動不能表示部５２Ａの色は、移動可能表示部５２Ｂ，５２Ｃの色とは異なっており、天板１及びベース天面部６ａの色とも異なっている。また、一時解除操作レバー９の部位のうち少なくとも使用者の視界に入る部位の一部は、移動不能表示部５２Ａと同じ色を有している。例えば、移動不能表示部５２Ａの色は、移動可能表示部５２Ｂ，５２Ｃの色よりも明度が高い目立たない色であり、逆に言えば、移動可能表示部５２Ｂ，５２Ｃの色は、移動不能表示部５２Ａの色よりも目立つ色で構成されている。また、移動可能表示部５２Ｂ，５２Ｃの色は、脚ベース６のベース天面部６ａの色とは異なっている。また、移動不能表示部５２Ａの色は、脚ベース６のベース天面部６ａの色に対して、同じ色又は同系色であってもよい。なお、表示部５２Ａ，５２Ｂ，５２Ｃ及び一時解除操作レバー９は、塗料やシールなどで色付けされていてもよい。また、表示部５２Ａ，５２Ｂ，５２Ｃに文字や記号、図形を付してもよい。また、移動可能表示部５２Ｂ，５２Ｃは、同じ色等を有していてもよいし、互いに異なる色等を有していてもよい。
【００９５】
詳細は後述するが、前後方向に延びるキャスタ操作レバー部材９１は、天板１の回動及び一時解除操作レバー９の変位に連動して脚ベース６内で前後方向に変位するように構成されている。覗き窓５１の直下には、天板１が使用姿勢で一時解除操作レバー９が操作されていないときに移動不能表示部５２Ａが位置し、天板１が使用姿勢で一時解除操作レバー９が手前側へ引っ張り操作されたときに移動可能表示部５２Ｂが位置し、天板１が収納姿勢のときに移動可能表示部５２Ｃが位置するように構成されている。
【００９６】
また、キャスタ操作レバー部材９１は、天板１が使用姿勢で一時解除操作レバー９が操作されていないときに、キャスタ操作レバー９２Ｆ，９２Ｒの押圧突起収容凹部９４がキャスタ８Ｆ，８Ｒの押圧突起部１８４の上方に位置してキャスタ８Ｆ，８Ｒがロック状態になるように構成されている。
【００９７】
キャスタ操作レバー部材９１のレバー連結部材９６は、底面部の中央部位に前後方向に延びるばね収容長穴９６ａを備えている。ばね収容長穴９６ａ内には、脚ベース６のベース天面部６ａ中途部の内壁から下向きに延びるばね取付ボス部６ｂの先端部と、前端部がばね取付ボス部６ｂに取り付けられて前後水平姿勢に設けられる引張コイルばねからなるレバー付勢用弾性部材９７とが配置される。レバー付勢用弾性部材９７の後端部は、レバー連結部材９６の底面部にばね収容長穴９６ａの後端近傍に設けたばね取付穴９６ｂに取り付けられている。レバー連結部材９６は、レバー付勢用弾性部材９７によって、前方へ向けて付勢される。
【００９８】
次に、移動切替機構１０の動作について説明する。図３〜図５、図８、図１２及び図１３に示すように、天板１が使用姿勢で一時解除操作レバー９が操作されていないとき（操作力が加えられていない操作前姿勢のとき）、回動伝達プレート部材７１のレバープレート連結部７４は側面視で回動プレート支軸部材７７に対して真上に位置している。そして、回動伝達プレート部材７１に連結された上下伝達プレート部材８１下端部に設けたスライダ部材８２は、スライダ傾斜面８２ａが前キャスタ操作レバー９２Ｆの傾斜天面部９３中途部に接触する一方、前面部が伝達プレート規制リブ７０に接触する。これにより、レバー付勢用弾性部材９７の弾性力によるキャスタ操作レバー部材９１の前向き移動が停止され、移動切替状態表示部５０において覗き窓５１の下方に移動不能表示部５２Ａが位置し、かつ、キャスタ操作レバー９２Ｆ，９２Ｒの押圧突起収容凹部９４がキャスタ８Ｆ，８Ｒの押圧突起部１８４の上方に位置してキャスタ８Ｆ，８Ｒがロック状態になるように保持される。
【００９９】
このとき、図１２に示すように、覗き窓５１の直下に移動不能表示部５２Ａが位置し、移動切替状態表示部５０は、テーブル１００がキャスタ８Ｆ，８Ｒの転動による移動が不能な移動不能状態を表示している。
【０１００】
図１７〜図２０に示すように、天板１が使用姿勢のときに一時解除操作レバー９が手前側へ引っ張り操作されると（操作力が加えられて変位した操作後姿勢にされると）、一時解除操作レバー９の後向き移動に伴ってレバープレート部材４１が後方へ変位する。レバープレート部材４１の回動プレート連結部４５に連結した回動伝達プレート部材７１のレバープレート連結部７４が回動プレート支軸部材７７を中心に後向き回動し、伝達プレート連結部７３及びレバープレート連結部７４が下向き回動して、上下伝達プレート部材８１下端部及びスライダ部材８２が伝達プレート規制リブ７０で前向き移動を制限されながら下向き移動する。スライダ部材８２のスライダ傾斜面８２ａが前キャスタ操作レバー９２Ｆの傾斜天面部９３に接触しながら下方へ変位することで、前キャスタ操作レバー９２Ｆとともにキャスタ操作レバー部材９１全体がレバー付勢用弾性部材９７の弾性力に抗して後向きに変位する。
【０１０１】
図１９及び図２０に示すように、キャスタ８Ｆ，８Ｒの押圧突起部１８４がキャスタ操作レバー９２Ｆ，９２Ｒの前側の押圧突起押下げ部９５で下方へ押し下げられることで、キャスタ８Ｆ，８Ｒにおいてキャスタロック部材１０８が下方へ変位する。そして、車輪ストッパ部１８２ａが車輪１０６の係止部１６２から外れて車輪１０６が転動可能になるとともに、係止爪１８３が係止凹部１４５から外れてキャスタロック部材１０８及びインナー部材１０５がアウター部材１０４に対して水平旋回自在になって、キャスタ８Ｆ，８Ｒがロック解除状態になる。これにより、テーブル１００は、キャスタ８Ｆ，８Ｒの転動による移動可能状態になる。
【０１０２】
一時解除操作レバー９を操作してテーブル１００が移動可能状態になったとき、図１９に示すように、覗き窓５１の直下に第１移動可能表示部５２Ｂが位置し、移動切替状態表示部５０は、テーブル１００の移動不能状態時の移動不能表示部５２Ａの表示から切り替えて第１移動可能表示部５２Ｂを表示する。
【０１０３】
これにより、使用者が目線を下方へ向けて天板１下面の一時解除操作レバー９を操作するときに、天板１下方の脚体３（脚ベース６）に設けた移動切替状態表示部５０の表示の切替りが使用者の視野に入り、使用者はテーブル１００が移動可能状態なのか移動不能状態なのかを視覚的に容易に判断でき、利便性が向上する。また、使用者は、一時解除操作レバー９の機能を知らない場合であっても、一時解除操作レバー９の操作に連動して移動切替状態表示部５０の表示が切り替わることで、一時解除操作レバー９の操作がキャスタ８Ｆ，８Ｒの転動によるテーブル１００の移動の可不可を切り替えることを連想でき、一時解除操作レバー９の機能を理解しやすくなる。
【０１０４】
特に、本実施形態では、図２（Ａ）及び図３等から明らかなように、天板１下面の手前側角部に一時解除操作レバー９を設けるとともに、移動切替状態表示部５０を脚ベース６上面の後端部（手前側の端部）寄り部位に設けて使用姿勢時の天板１手前側角部の真下に位置させているので、使用者が下向き視線で一時解除操作レバー９を操作する時に移動切替状態表示部５０の表示切替りが使用者の視界に入りやすく、使用者はテーブル１００が移動可能状態なのか移動不能状態なのかを視覚的に容易に判断できるようになっている。
【０１０５】
本実施形態では、一時解除操作レバー９は、天板１の色とは異なる色で設けられており、移動切替状態表示部５０は、テーブル１００が移動不能状態のときに一時解除操作レバー９と同じ色を有する移動不能表示部５２Ａを、覗き窓５１を介して表示する。これにより、一時解除操作レバー９の存在を目立たせることができるとともに、使用者は一時解除操作レバー９と移動切替状態表示部５０との連動をより簡単に連想でき、利便性がさらに向上する。ここで、明度の低い目立たない色の移動不能表示部５２Ａから明度の高い目立つ色の第１移動可能表示部５２Ｂに切り替わることで、使用者は、移動切替状態表示部５０の表示切替りをより容易に認識できる。さらに、移動不能表示部５２Ａを脚ベース６のベース天面部６ａと同色や同系色にすることにより、移動切替状態表示部５０の表示切替りの視認性をよりいっそう高めることが可能となる。
【０１０６】
図６及び図２１〜図２３に示すように、天板１が収納姿勢になるように跳ね上げられると、天板１及び天板支持部５とともにレバープレート部材４１の手前側が連結管２及び回動プレート支軸部材７７の軸線回りに上向き回動する。レバープレート部材４１の回動に伴って回動プレート連結部４５に連結した回動伝達プレート部材７１のレバープレート連結部７４が回動プレート支軸部材７７を中心に前向き回動し、伝達プレート連結部７３及びレバープレート連結部７４が上向き回動して、上下伝達プレート部材８１及びスライダ部材８２が上向き移動する。スライダ部材８２のスライダ傾斜面８２ａは、前キャスタ操作レバー９２Ｆの傾斜天面部９３に接触しながら上方へ変位し、天板１が収納姿勢になった状態では傾斜天面部９３から離脱して前キャスタ操作レバー９２Ｆの前部９２Ｆｃの上方へ移動する。キャスタ操作レバー部材９１は、スライダ部材８２による前向き移動制限状態から解放され、レバー付勢用弾性部材９７の弾性力によって前向き移動する。
【０１０７】
図２２及び図２３に示すように、キャスタ８Ｆ，８Ｒの押圧突起部１８４がキャスタ操作レバー９２Ｆ，９２Ｒの後側の押圧突起押下げ部９５で下方へ押し下げられることで、キャスタ８Ｆ，８Ｒにおいてキャスタロック部材１０８が下方へ変位し、キャスタ８Ｆ，８Ｒがロック解除状態になる。これにより、テーブル１００は、キャスタ８Ｆ，８Ｒの転動による移動可能状態になる。本実施形態では、天板１が一時解除操作レバー９（移動切替操作具）とは別部材の移動切替操作部材を構成し、移動切替機構１０は、天板１の姿勢変更で、テーブル１００の移動可能状態と移動不能状態とを切替え可能に構成されている。
【０１０８】
天板１が収納状態であってテーブル１００が移動可能状態にあるとき、図２２に示すように、覗き窓５１の直下に第２移動可能表示部５２Ｃが位置し、移動切替状態表示部５０は、テーブル１００の移動不能状態時の移動不能表示部５２Ａの表示から切り替えて第１移動可能表示部５２Ｂを表示する。
【０１０９】
本実施形態では、天板１を、左右水平に延びる連結管２の軸線（回動軸）を介して脚体３に支持させ、略水平な使用姿勢と起立した収納姿勢との間で回動可能に構成しており、移動切替機構１０は、天板１が収納姿勢のときにキャスタ８Ｆ，８Ｒの転動による移動可能状態とするとともに、移動切替状態表示部５０は、第２移動可能表示部５２Ｃを表示して、移動不能状態で表示する移動不能表示部５２Ａとは異なる第２移動可能表示部５２Ｃを表示する。
【０１１０】
これにより、天板１が収納姿勢のときにキャスタ８Ｆ，８Ｒの転動によるテーブル１００の移動を可能状態とすることができ、天板収納姿勢時のテーブル１００の移動が容易になって利便性が向上する。さらに、天板１が起立して収納姿勢にあることで、使用者は脚体３に設けた移動切替状態表示部５０を視認しやすくなり、移動切替状態表示部５０がテーブル１００の移動不能状態（移動不能表示部５２Ａを表示）と移動可能状態（第２移動可能表示部５２Ｃを表示）とで異なる表示をすることで、収納姿勢のテーブル１００がキャスタ８Ｆ，８Ｒの転動による移動可能状態にあることを把握しやすくなる。
【０１１１】
なお、上記実施形態では、一時解除操作レバー９の手前向き引っ張り操作に連動して上下伝達プレート部材８１及びスライダ部材８２が押し下げられてキャスタ８Ｆ，８Ｒがロック解除するように構成されているが、これに限らず、一時解除操作レバー９の操作に連動して上下伝達プレート部材８１及びスライダ部材８２が引き上げられてキャスタ８Ｆ，８Ｒがロック解除するように構成されてもよい。
【０１１２】
上記実施形態では、移動式家具の一例としてのテーブル１００は、下部に設けたキャスタ８Ｆ，８Ｒの転動による移動可能状態と、キャスタ８Ｆ，８Ｒの転動による移動を不能にする移動不能状態とに切り替える移動切替機構１０を備えている。移動切替機構１０は、移動切替状態表示部５０と、移動切替操作具の一例としての一時解除操作レバー９とを備える。一時解除操作レバー９は、操作力が加えられていない操作前姿勢と、操作力が加えられて変位した操作後姿勢とに姿勢変更可能であるとともに、上記操作後姿勢にあるときに操作力が解除されることで上記操作前姿勢に自動的に復帰するように構成されている。移動切替状態表示部５０は、一時解除操作レバー９の姿勢変更に連動して、上記移動可能状態と上記移動不能状態とで異なる表示をするように構成されている。移動切替機構１０は、一時解除操作レバー９が操作前姿勢のときにテーブル１００を移動不能状態にできる一方、操作後姿勢のときに移動可能状態にできるように構成されている。
【０１１３】
これにより、使用者が一時解除操作レバー９を操作したときに、移動切替状態表示部５０の表示の切替りが使用者の視野に入ることで、使用者はテーブル１００が移動可能状態なのか移動不能状態なのかを視覚的に容易に判断できるので、利便性が向上する。また、一時解除操作レバー９は、使用者が操作力を解除したときに操作前姿勢に自動的に復帰するので、テーブル１００を移動可能状態から移動不能状態へ自動的に復帰でき、移動不能状態への切替え忘れを防止できる。
【０１１４】
また、上記実施形態では、一時解除操作レバー９は、テーブル１００の上半部に設けられているので、一時解除操作レバー９の操作でテーブル１００を移動可能状態にして移動させるときに、テーブル１００を移動させながら一時解除操作レバー９を操作しやすくなり、スムーズな家具の移動が可能になる。なお、移動切替操作具は、移動式家具の下半部に設けられてもよい。
【０１１５】
また、上記実施形態では、移動切替機構１０は、一時解除操作レバー９とは別部材の移動切替操作部材の一例としての天板１の姿勢変更で、移動可能状態と移動不能状態とを切替え可能に構成されている。そして、移動切替機構１０は、天板１がテーブル１００を上記移動不能状態にしているときに、一時解除操作レバー９を上記操作後姿勢にすることで上記移動可能状態に切替え可能に構成されている。これにより、天板１の姿勢変更で、継続的な移動可能状態と継続的な移動不能状態とを切替え可能に構成できるとともに、継続的な移動不能状態時において、一時解除操作レバー９を操作することで一時的に移動可能状態にすることができ、利便性が向上する。
【０１１６】
なお、姿勢変更することで上記移動可能状態と上記移動不能状態とを切替え可能な移動切替操作部材は、天板１に限らず、例えばキャスタに設けられてキャスタをロック状態とロック解除状態とに切り替えるレバーなど、他の部材で構成されてもよい。
【０１１７】
また、移動切替状態表示部５０は、回動伝達プレート部材７１の姿勢変更にも連動して、上記移動可能状態と上記移動不能状態とで異なる表示をする。これにより、使用者は、一時解除操作レバー９の姿勢変更による移動可能状態と移動不能状態との切替えと、回動伝達プレート部材７１の姿勢変更による移動可能状態と移動不能状態との切替えとの両方において、テーブル１００が移動可能状態なのか移動不能状態なのかを視覚的に容易に判断でき、利便性が向上する。
【０１１８】
上述のように、テーブル１００は、天板１を支持する脚体３の下部にキャスタ８Ｆ，８Ｒを取り付け、天板１を、左右水平に延びる回動軸としての連結管２を介して脚体３に支持させ、略水平な使用姿勢と起立した収納姿勢との間で回動可能に構成している。また、回動伝達プレート部材７１は、天板１の回動に連動して姿勢変更するように構成されている。そして、天板１が上記収納姿勢のときに、移動切替機構１０は上記移動可能状態とするとともに、移動切替状態表示部５０が上記移動不能状態での表示とは異なる表示をするように構成されている。
【０１１９】
このような態様によれば、天板１が収納姿勢のときにキャスタ８Ｆ，８Ｒの転動による移動可能状態とすることができ、天板１の収納姿勢時におけるテーブル１００の移動が容易になって利便性が向上する。
【０１２０】
また、テーブル１００において、一時解除操作レバー９は天板１に設けられているので、使用者は自然な姿勢で一時解除操作レバー９を操作しながらテーブル１００を移動でき、利便性が向上する。なお、一時解除操作レバー９は、使用者が天板１を把持しながら操作可能な位置であって天板１とは異なる部材、例えば天板支持部５や脚支柱７の上部に設けられているようにしてもよい。これにより、例えば、使用者は一方の手で天板１を把持し、他方の手で一時解除操作レバー９を操作することで、自然な姿勢でテーブル１００を移動でき、利便性が向上する。
【０１２１】
また、テーブル１００において、脚体３は、キャスタ８Ｆ，８Ｒが取り付けられる脚ベース６と、脚ベース６から上向きに延びる脚支柱７とを備え、移動切替状態表示部５０は、脚ベース６の上面に設けられ、脚支柱７に沿って設けられた連動部材（本実施形態では上下伝達プレート部材８１）を介して、一時解除操作レバー９と移動切替状態表示部５０を連動させている。これにより、天板１が起立して収納姿勢にあることで、使用者は脚体３の脚ベース６上面（ベース天面部６ａ）に設けた移動切替状態表示部５０を視認しやすくなる。また、移動切替状態表示部５０がテーブル１００の移動不能状態と移動可能状態とで異なる表示をすることで、収納姿勢のテーブル１００がキャスタ８Ｆ，８Ｒの転動による移動可能状態にあることを把握しやすくなる。
【０１２２】
なお、脚支柱７に沿って設けられた連動部材は、上下伝達プレート部材８１のような棒状部材に限定されず、例えばワイヤケーブルなど、脚体３の上部と下部との間で操作力を伝達可能な部材であればよい。また、脚支柱に沿って設けられる連動部材は、脚支柱内部に配置される構成に限定されず、脚支柱の外部で脚支柱に沿って設けられてもよい。
【０１２３】
また、上記実施形態は、キャスタ８Ｆ，８Ｒの転動による移動可能状態と、キャスタ８Ｆ，８Ｒの転動による移動を不能にする移動不能状態とに切り替える移動切替機構１０を備えたテーブル１００であって、移動切替機構１０は、一時解除操作レバー９と、一時解除操作レバー９に連動部材（本実施形態では、レバープレート部材４１、連結ピン７５、回動伝達プレート部材７１、操作伝達ピン７２、上下伝達プレート部材８１、スライダ部材８２及びキャスタ操作レバー部材９１）を介して連結されて一時解除操作レバー９の作動に連動する移動切替状態表示部５０を備える。そして、移動切替状態表示部５０は、一時解除操作レバー９と離間した位置に設けられているとともに、一時解除操作レバー９の作動に連動して上記移動可能状態と上記移動不能状態とで異なる表示をする。
【０１２４】
このように、一時解除操作レバー９と移動切替状態表示部５０とを互いに離間して設けることで、一時解除操作レバー９を使用者が操作しやすい位置に設ける一方、移動切替状態表示部５０を使用者が視認しやすい位置に設けることができ、使用者は、一時解除操作レバー９を容易に操作できるとともに、テーブル１００が移動可能状態なのか移動不能状態なのかを移動切替状態表示部５０の表示で視覚的に容易に判断できるので、利便性が向上する。
【０１２５】
以上、実施形態を説明したが、本発明は、前述の実施形態に限らず、様々な態様に具体化できる。各部の構成は図示の実施形態に限定されるものではなく、本発明の趣旨を逸脱しない範囲で種々変更が可能である。
【０１２６】
例えば、上記実施形態では、折り畳み式テーブルに適用したが、本発明の移動式家具は、テーブル以外の家具にも適用可能であり、例えば、キャスタ付きキャビネットなどの移動式家具にも適用可能である。
【０１２７】
キャスタ付きキャビネットに適用した場合、移動切替操作具を操作していない通常の状態ではキャスタの転動による移動不能状態とし、移動切替操作具を操作することによって、移動可能状態となるものとしてもよい。この際も、移動切替操作具は、キャスタ付きキャビネットの上半部に設けられていることが好ましい。移動切替操作具の具体的な配置としては、天板部や側面部あるいは移動のためのハンドル部等に設ければよい。
【０１２８】
また、さらに移動切替操作具とは別部材の移動切替操作部材の姿勢変更により、キャスタの転動による移動可能状態と移動不能状態とに切替可能とすることも可能である。このようにすることで、移動切替操作具を使わなくても常時移動可能な状態を選択することが可能となる。
【０１２９】
上記実施形態では、移動切替操作部材は、姿勢変更可能な天板で構成されているが、例えば、脚ベースに設けて使用者の足等で押下げ操作するようなキャスタロックスイッチとすることも可能である。キャスタロックスイッチによって、キャスタの転動による移動可能状態と移動不能状態とを切替可能とするものとし、移動式家具を少しだけ動かしたい場合等、わざわざキャスタロックスイッチを操作しなくても、手元で移動切替操作具によって移動可能状態とすることで利便性が向上する。なお、上記実施形態のように姿勢変更可能な天板を移動切替操作部材として用いた上で、さらに移動切替操作部材としての上記のキャスタロックスイッチをさらに備え、移動切替操作部材を複数備えることも可能である。
【０１３０】
また、上記実施形態では、一時解除操作レバー９は天板下面に配置されるが、天板上面や周縁部、あるいは脚体に設けてもよい。脚体に設ける場合は、使用者が天板を把持しながら手の届くよう脚支柱７の上端部近傍位置に設けるとさらによい。
【０１３１】
また、例えば、上記実施形態では、キャスタロック状態又はキャスタロック解除状態の切替えに関して、前キャスタ８Ｆ及び後キャスタ８Ｒの両方を切替え可能に構成しているが、前後いずれか一方のキャスタ８Ｆ又は８Ｒを切替え可能に構成してもよい。
【０１３２】
また、キャスタの転動による移動可能状態と移動不能状態とに切替えに関し、キャスタのロック状態とロック解除状態とを切り替える構成に限定されず、前後のキャスタの少なくとも一方の接地状態を切り替える（移動不能状態時にはキャスタを浮かせる）ことで、テーブルの移動可能状態と移動不能状態とを切り替える構成であってもよい。
【０１３３】
また、脚体３は、略Ｌ字状のものに限らず、逆Ｔ字状や、分離した前後の脚支柱の下端部にキャスタをそれぞれ設ける構成であってもよい。また、移動切替操作具は、手前側へ引っ張り操作する構成に限定されず、上下方向に押上げ操作又は押下げ操作する構成であってもよいし、前後方向に押込み操作する構成であってもよい。
【符号の説明】
【０１３４】
１  天板
２  連結管（回動軸）
３  脚体
４  天板ロック機構
５  天板支持部
６  脚ベース
６ａ  ベース天面部
７  脚支柱
８Ｆ  前キャスタ
８Ｒ  後キャスタ
９  一時解除操作レバー
１０  移動切替機構
１１  伝達プレート案内部材
４１  レバープレート部材
４２  固定ネジ
４３  レバーガイド部材
４４  弾性部材
４５  回動プレート連結部
４７  連結ピン
５０  移動切替状態表示部
５１  覗き窓
５２Ａ  移動不能表示部
５２Ｂ  第１移動可能表示部
５２Ｃ  第２移動可能表示部
５３  移動不能表示部材
７１  回動伝達プレート部材
７２  操作伝達ピン
７３  伝達プレート連結部
７４  レバープレート連結部
７５  連結ピン
７７  回動プレート支軸部材
８１  上下伝達プレート部材
８２  スライダ部材
９１  キャスタ操作レバー部材
９２Ｆ  前キャスタ操作レバー
９２Ｒ  後キャスタ操作レバー
９６  レバー連結部材
９７  レバー付勢用弾性部材
１００  テーブル
【図１】
2020174975.tif 000003
【図２】
2020174975.tif 000004
【図３】
2020174975.tif 000005
【図４】
2020174975.tif 000006
【図５】
2020174975.tif 000007
【図６】
2020174975.tif 000008
【図７】
2020174975.tif 000009
【図８】
2020174975.tif 000010
【図９】
2020174975.tif 000011
【図１０】
2020174975.tif 000012
【図１１】
2020174975.tif 000013
【図１２】
2020174975.tif 000014
【図１３】
2020174975.tif 000015
【図１４】
2020174975.tif 000016
【図１５】
2020174975.tif 000017
【図１６】
2020174975.tif 000018
【図１７】
2020174975.tif 000019
【図１８】
2020174975.tif 000020
【図１９】
2020174975.tif 000021
【図２０】
2020174975.tif 000022
【図２１】
2020174975.tif 000023
【図２２】
2020174975.tif 000024
【図２３】
2020174975.tif 000025